(57)【要約】      （修正有）【課題】刃物を傷める石など硬い物や刈り取るべき硬い幹などは刃物を避けて刃先の摩耗や破損を軽減、回避しているが、刈り取る草などの陰に隠れて石など見落とした場合でも、小石などを跳ね飛ばしたり、刃先を摩耗させたり、あるいは草刈り機そのものを破損させたりしない動力草刈り機の刃物を提供する。【解決手段】柔らかい草などは揺れ動く刃物１で刈り取り、硬い幹などは揺れ動く刃物１が衝突の衝撃を受けて円形状刃物２の平面内に押し込まれるので、円形状刃物２で刈り取り、石９などの場合は揺れ動く刃物１が衝突の衝撃を吸収し揺れ動く刃物１と円形状刃物２との二段回の作用で避けるように対応する構造とする。【選択図】図３
2013017464.tif 000002
【特許請求の範囲】
【請求項１】
動力草刈り機の円形ノコギリ状刃物において、（以下２ー刃物と言う）の平面内周辺に複数箇所３ー穴を設け、及び複数枚の振れ動く刃物（以下１−刃物と言う）の、端面にも４ー穴を設け、２ー刃物の平面を該、１ー刃物が３−穴の５ー支え軸を介して自在に振れ動く様に、異なる１−刃物と２−刃物を、一体に連設した事を、特徴とする動力草刈り機の刃物。
【請求項２】
上述の、一体に連設した刃物の回転（稼働）による、円運動の遠心力で５−軸を介して１一刃物の、一端が２ー刃物の周辺外へ放射状に振れて突起し、（Ａ）柔らかい草等を容易に刈り取り尚、硬い草の幹に遭遇ると、その衝撃に耐えられずに該、５−軸を介して２−刃物面内へ振れて押し込まれると同時に、現れる２−刃物の７−刃先で該、幹も容易に刈り取られ同じく、（Ｂ）９−石等硬い物（以下９−石等と言う）遭遇すると、その衝突の衝撃を吸収しながら発生する激しい危険な衝撃音を感知しての判断での、作業操作で９−石等を跳ね飛ばしての危険や、刃物の摩耗・損傷を軽減するために回避する、上記の（Ａ）草を刈る事と、（Ｂ）石等を避ける事の、二つ事態に適切に対応する事を特徴とする、請求項１に記載の動力草刈り機の刃物。
【発明の詳細な説明】
【技術分野】
【０００１】  本発明は、肩掛け等の動力草刈り機の刃物に関するものである。
【背景技術】
【０００２】  従来から動力草刈り機での草刈り作業は、腕力による鎌での作業に比較して効率が良く、その主な刃物の形状に▲１▼円形ノコギリ状の物▲２▼円形板の複数箇所（小数箇所）突起した物▲３▼円形板状の周辺内から、周辺外に刃物が放射状に振れる様に連接した物▲４▼中心軸を基に（約５ｃｍ〜１５ｃｍ程の長さ）複数本のひも（刃物）を設けた物が提供されていて、其其に基本的な作業スピード・身体の疲労度合いの緩和等、驚異的な優れた成果がある。【０００３】  しかし、其其の刃物は激しい（稼働）回転により、上述▲１▼動力が直接刃物に伝わり繁った草陰の石等硬い物（以下石等と言う）の確認が困難で該、石等との激突は避けがたく、▲２▼円形板から少数箇所突起している形状の刃物は、説明の▲１▼・▲３▼・▲４▼の刃物に比較して歯切れが優れているが、刃数がノコギリ状に比較して少ない分、石等への衝撃もより大きく、▲３▼・▲４▼は草の幹等硬い物に接すると刃物は衝突の衝撃に耐えきれず、刃物の回転と逆方向にしなり衝撃を吸収して幹等の刈り取りは困難等、其其の刃物の構造に不具合がある。【０００４】  上述の様に、刃物への衝撃を軽減・緩和や回避して且つ、安全・安心・完全な草刈り作業をする事は、従来技術の刃物構造では不充分である。
【先行技術文献】
【特許文献】
【０００５】
【特許文献１】特開２００４−８１６２号公報
【発明の概要】
【発明が解決しようとする課題】
【０００６】  上述の腕力による草刈り鎌に代る、草刈り機の刃物は激しく回転するので、小石を跳ね飛ばしたりしての危険や、刃先の急激な摩耗・破損の緩和や回避に課題がある。【０００７】  上述の、公開公報の提案では、選択図１に示す様に回転する円盤内面から該、外周辺へ放射状に突起する様に柔軟な金属棒を固設してるので、上述▲３▼・▲４▼の様に、草の硬い幹等に振れると、その衝撃で刃先がしなり該、衝撃を吸収して、硬い幹等も石等と同じく回避してしまい、目的の理想的な草刈り機の刃物の機能に課題がある。【０００８】  上述の様に、従来技術▲１▼・▲２▼の刃物構造では、動力（エンジン等）が直接刃先に伝わるので、石等と柔らかい草等との衝撃音で判断しての即座に危険の回避操作は困難と言う、宿命的な課題がある。
【課題を解決するための手段】
【０００９】  上述の課題を解決するために本発明は、従来技術の（以下符号に基づき詳説する）円形状刃物（２−刃物と言う）の平面内周辺の複数箇所に３−穴を設け該、３−穴を中心に振れ動く複数枚の刃物（以下１−刃物と言う）の、端面にも４−穴を設け２−刃物の平面を該、１−刃物が３−穴の５−支え軸を介して自在に振れ動く様に、一体の連設構造に構成し、２−刃物の回転（稼働）による円運動の遠心力で（複数枚）（Ａ）１−刃物の、一端が２−刃物の外周から放射状に突起して柔らかい草を刈り取り尚、硬い草の幹等に遭遇すると、１−刃物はその衝突による衝撃に耐え切れずに、５−支え軸を介して作業回転の逆方向に、２−刃物の平面内に押し込まれ、１−刃物の６−刃先と入れ替わる様に２−刃物が現れ７−刃先で刈り取られる様な構造で構成する手段を講じた。【００１０】  又、繁った草陰等の（Ｂ）９−石等危険な硬い物と遭遇すると、上述と同じく１−刃物は衝突に耐え切れず２−刃物面内に衝撃音を発しながら押し込まれるので該、音を感知した判断操作で、小石を跳ね飛ばしての危険や、刃物の摩耗・破損の懸念を、軽減・回避できる構造で構成する手段を講じた。
【発明の効果】
【００１１】  本発明の２−刃物の円形周辺内の平面３−穴の５−軸を介して、１−刃物を自在に振れる様に連設し、２−刃物の回転による円運動の遠心力の作用で１−刃物の、一端が該、２−刃物の外周辺に放射状に振れて突起し、柔らかい草等を刈り取り、草の幹等に遭遇すると、該１−刃物は衝突の衝撃に耐え切れずに、上述と同じく２−刃物の回転の逆方向に振れて該、２−刃物の平面内に押し込まれ、作業操作には何の抵抗も無く、その瞬間に２−刃物の７−刃先で硬い幹等も容易に刈り取る効果がある。【００１２】  尚、草の陰等に見逃した９−石等に１−刃物が接し衝突すると、その衝撃を吸収しながら、２−刃物面内に押し込まれ草の幹等と、明らかに異なる激しい衝撃音の発生を察知しての判断で、作業操作を行い小石を跳ね飛ばし身体の怪我や、刃先の摩耗・破損を軽減・回避出来きる効果と尚、１−刃物の摩耗に応じて、一枚の刃物がａ・ｂ・ｃ・ｄの新しい（４回）６−刃先に付替えが出来る刃物を、経済的にも安価に提供できる効果は大である。
【図面の簡単な説明】
【００１３】
【図１】２−刃物の平面周辺内を１−刃物が自在に振れ動く様に連設した平面図。
【図２】２−刃物の回転により平面周辺内に連設した、１−刃物が２−刃物の周辺外に遠心力により放射状に突起した状態を示す平面図。
【図３】９−石等に１−刃物か衝突の衝撃で、２−刃物の回転の逆方向に振れて衝突の衝撃を吸収しながら、２ー刃物の平面に押し込まれる状態を示す面平図。
【図４】１−刃物の形状とａ・ｂ・ｃ・ｄー刃先の、一例を示す拡大平面図。
【図５】１ー刃物と２−刃物の連設とその動きを示す部分拡大平面図。
【発明を実施するための形態】
【実施例】
【００１４】  以下図本発明の、一実施例の形態を図１〜図５に基づいて説明する。【００１５】  図においては、２−刃物の平面内周辺の（複数箇所）３−穴を介して５−軸を基に、１−刃物の、一端が２−刃物の平面上を自在に振れる様に連設されている。【００１６】  動力による稼働で１−刃物の、一端が５−軸を基に２−の円運動による遠心力で該、２−刃物の円周辺外へ放射状に振れて突起する様に連設されている。【００１７】  柔らかい草は、上述の２−刃物から放射状に突起した１ー刃物の、一端で刈り取られ、硬い幹等に接触すると１−刃物は衝撃に耐え切れずに、図３・図５に示す様に２−刃物の回転方向の逆方向に振れて該、２−刃物の平面内に押し込まれ、その瞬間に２ー刃物の７ー刃先て容易に硬い幹等も刈り取られる構造を有している。【００１８】  尚、草陰等で見落とされた９−石等に衝突すると、１−刃物は、上述の様に２−刃物の平面内に押し込まれると同時に、衝突の衝撃を吸収緩和しながら、草の幹等とは明らかに異なる激しい衝撃音を察知しての、判断による作業操作で９−石等との衝撃を緩和・軽減・回避する事と、上述の草刈りの容易な作業進行のために、１ー刃物と２−刃物の異なる二種類の刃物を連設して、二通りの現状に対応する機能を有している。
【符号の説明】    １  振れ動く刃物
２  円形状刃物
３  円形状刃物の周辺内面の穴
４  振れ動く刃物の両端内面の穴
５  振れ動く刃物の支え軸
６  振れ動く刃物のａ・ｂ・ｃ・ｄの刃先
７  円形状刃物の刃先
８  円形状刃物の中心穴
９  石等硬い物
【図１】
2013017464.tif 000003
【図２】
2013017464.tif 000004
【図３】
2013017464.tif 000005
【図４】
2013017464.tif 000006
【図５】
2013017464.tif 000007